(57)【要約】【課題】本体装置及びセンサ装置を備える通信装置システムにおいて、本体装置に不具合が生じた場合であっても、該不具合が解消された後にセンサにより検出された回数を正しく求める。【解決手段】  通信装置システム（１）は、相互に無線通信可能な本体装置（１０）及びセンサ装置（２０）を備える。該センサ装置は、状態変化を検出して検出信号を出力するセンサ手段（２６）と、該検出信号に基づいて第１カウンタの数値を更新する第１カウント手段（２１）と、該第１カウンタの数値を示す第１カウンタ信号を本体装置に送信する第１通信手段（２２）とを有する。ここで特に、第１カウント手段は、第１カウンタ信号が送信された後も、第１カウンタの数値を初期化することなく更新する。【選択図】図１
2014155141.tif 000002
【特許請求の範囲】
【請求項１】
無線通信により相互に通信可能なセンサ装置及び本体装置を備える通信装置システムであって、
前記センサ装置は、
対象物の状態変化を検出して検出信号を出力するセンサ手段と、
前記検出信号に基づいて、第１カウンタの数値を更新する第１カウント手段と、
前記第１カウンタの数値を示す第１カウンタ信号を、前記本体装置に送信する第１通信手段と、
を有し、
前記本体装置は、
前記第１カウンタ信号に基づいて、第２カウンタの数値を更新する第２カウント手段と、
所定時刻ごとに前記第２カウンタの数値を記憶する記憶手段と、
今回の所定時刻における前記第２カウンタの数値から、前回の所定時刻に前記記憶手段に記憶された前記第２カウンタの数値を減算することにより、前回の所定時刻から今回の所定時刻までの期間において前記検出信号が出力された回数を演算する演算手段と、
を有し、
前記第１カウント手段は、前記第１通信手段により前記第１カウンタ信号が送信された後も、前記第１カウンタの数値を初期化することなく更新する
ことを特徴とする通信装置システム。
【請求項２】
前記本体装置は、前記所定時刻ごとに、前記演算された回数を示す信号を、当該通信装置システムとは異なる通信端末へ送信する第２通信手段を更に有することを特徴とする請求項１に記載の通信装置システム。
【請求項３】
前記本体装置は、前記所定時刻を設定可能な設定手段を更に有することを特徴とする請求項２に記載の通信装置システム。
【請求項４】
前記センサ装置は、前記センサ装置に電力を供給するバッテリを更に有することを特徴とする請求項１乃至３のいずれか一項に記載の通信装置システム。
【請求項５】
前記第１通信手段は、前記センサ手段から前記検出信号が出力された際、並びに、前記本体装置及び前記センサ装置間における通信が確立された際に、前記第１カウンタ信号を前記本体装置に送信することを特徴とする請求項１乃至４のいずれか一項に記載の通信装置システム。
【請求項６】
無線通信により相互に通信可能なセンサ装置及び本体装置を備える通信装置システムにおいて、対象物の状態変化の検出回数をカウントするカウント方法であって、
前記センサ装置が、前記対象物の状態変化を検出して検出信号を出力する検出信号出力工程と、
前記センサ装置が、前記検出信号に基づいて、第１カウンタの数値を更新する第１カウント工程と、
前記センサ装置が、前記第１カウンタの数値を示す第１カウンタ信号を、前記本体装置に送信する第１通信工程と、
前記本体装置が、前記第１カウンタ信号に基づいて、第２カウンタの数値を更新する第２カウント工程と、
前記本体装置が、所定時刻ごとに前記第２カウンタの数値を記憶する記憶工程と、
前記本体装置が、今回の所定時刻における前記第２カウンタの数値から、前回の所定時刻に記憶された前記第２カウンタの数値を減算することにより、前回の所定時刻から今回の所定時刻までの期間において前記検出信号が出力された回数を演算する演算工程と、
を備え、
前記第１カウント工程において、前記センサ装置は、前記第１通信工程により前記第１カウンタ信号が送信された後も、前記第１カウンタの数値を初期化することなく更新する
ことを特徴とするカウント方法。
【請求項７】
無線通信により相互に通信可能なセンサ装置及び本体装置を備える通信装置システムにおいて、前記センサ装置に搭載された第１のコンピュータを、
対象物の状態変化を検出して検出信号を出力するセンサ手段と、
前記検出信号に基づいて、第１カウンタの数値を更新する第１カウント手段と、
前記第１カウンタの数値を示す第１カウンタ信号を、前記本体装置に送信する第１通信手段と、
として機能させ、且つ
前記本体装置に搭載された第２のコンピュータを、
前記第１カウンタ信号に基づいて、第２カウンタの数値を更新する第２カウント手段と、
所定時刻ごとに前記第２カウンタの数値を記憶する記憶手段と、
今回の所定時刻における前記第２カウンタの数値から、前回の所定時刻に前記記憶手段に記憶された前記第２カウンタの数値を減算することにより、前回の所定時刻から今回の所定時刻までの期間において前記検出信号が出力された回数を演算する演算手段と、
として機能させ、
前記第１カウント手段は、前記第１通信手段により前記第１カウンタ信号が送信された後も、前記第１カウンタの数値を初期化することなく更新する
ことを特徴とするコンピュータプログラム。
【発明の詳細な説明】
【技術分野】
【０００１】
本発明は、例えば人間等の生体の動作を検出して、該動作の回数をカウントする通信装置システム、カウント方法及びコンピュータプログラムの技術分野に関する。
【背景技術】
【０００２】
この種のシステムとして、例えば、複数のセンサ各々からの信号を予め規定された反応定義に基づいて平滑化し、該平滑化された信号に基づいて判定された生活動作に係る判定結果をネットワークに出力する生活動作検出装置を含むシステムが提案されている（特許文献１参照）。
【０００３】
或いは例えば、見守りセンサと、通信機能を有する歩数計とを備えるシステムが提案されている。ここでは特に、見守りセンサにより、該見守りセンサの前を人が通過した回数がカウントされ、該カウントされた回数が、歩数計の通信機能により、設定された時間帯に登録された通知先に対し、メールで通知されることが記載されている（非特許文献１参照）。
【先行技術文献】
【特許文献】
【０００４】
【特許文献１】特開２００４−１４５８２０号公報
【非特許文献】
【０００５】
【非特許文献１】京セラ株式会社、“見守り歩数計  Ｍｉ−Ｌｏｏｋ”，［ｏｎｌｉｎｅ］、平成２３年７月２１日、［平成２４年１２月２８日検索］、インターネット（ＵＲＬ：http://www.kyocera.co.jp/prdct/telecom/consumer/mi-look/）
【発明の概要】
【発明が解決しようとする課題】
【０００６】
しかしながら、上述の背景技術では、通信機能を有する主装置（親機）に不具合が生じた場合については考慮されていない。すると、主装置に生じた不具合が解消された場合、センサにより検出された回数が正確に通知されない可能性があるという技術的問題点がある。
【０００７】
本発明は、例えば上記問題点に鑑みてなされたものであり、親機に不具合が生じた場合であっても、該親機に生じた不具合が解消された後に、センサにより検出された回数を正確に通知することができる通信装置システム、カウント方法及びコンピュータプログラムを提供することを課題とする。
【課題を解決するための手段】
【０００８】
請求項１に記載の通信装置システムは、上記課題を解決するために、無線通信により相互に通信可能なセンサ装置及び本体装置を備える通信装置システムであって、前記センサ装置は、対象物の状態変化を検出して検出信号を出力するセンサ手段と、前記検出信号に基づいて、第１カウンタの数値を更新する第１カウント手段と、前記第１カウンタの数値を示す第１カウンタ信号を、前記本体装置に送信する第１通信手段と、を有し、前記本体装置は、前記第１カウンタ信号に基づいて、第２カウンタの数値を更新する第２カウント手段と、所定時刻ごとに前記第２カウンタの数値を記憶する記憶手段と、今回の所定時刻における前記第２カウンタの数値から、前回の所定時刻に前記記憶手段に記憶された前記第２カウンタの数値を減算することにより、前回の所定時刻から今回の所定時刻までの期間において前記検出信号が出力された回数を演算する演算手段と、を有し、前記第１カウント手段は、前記第１通信手段により前記第１カウンタ信号が送信された後も、前記第１カウンタの数値を初期化することなく更新する。
【０００９】
請求項６に記載のカウント方法は、上記課題を解決するために、無線通信により相互に通信可能なセンサ装置及び本体装置を備える通信装置システムにおいて、対象物の状態変化の検出回数をカウントするカウント方法であって、前記センサ装置が、前記対象物の状態変化を検出して検出信号を出力する検出信号出力工程と、前記センサ装置が、前記検出信号に基づいて、第１カウンタの数値を更新する第１カウント工程と、前記センサ装置が、前記第１カウンタの数値を示す第１カウンタ信号を、前記本体装置に送信する第１通信工程と、前記本体装置が、前記第１カウンタ信号に基づいて、第２カウンタの数値を更新する第２カウント工程と、前記本体装置が、所定時刻ごとに前記第２カウンタの数値を記憶する記憶工程と、前記本体装置が、今回の所定時刻における前記第２カウンタの数値から、前回の所定時刻に記憶された前記第２カウンタの数値を減算することにより、前回の所定時刻から今回の所定時刻までの期間において前記検出信号が出力された回数を演算する演算工程と、を備え、前記第１カウント工程において、前記センサ装置は、前記第１通信工程により前記第１カウンタ信号が送信された後も、前記第１カウンタの数値を初期化することなく更新する。
【００１０】
請求項７に記載のコンピュータプログラムは、上記課題を解決するために、無線通信により相互に通信可能なセンサ装置及び本体装置を備える通信装置システムにおいて、前記センサ装置に搭載された第１のコンピュータを、対象物の状態変化を検出して検出信号を出力するセンサ手段と、前記検出信号に基づいて、第１カウンタの数値を更新する第１カウント手段と、前記第１カウンタの数値を示す第１カウンタ信号を、前記本体装置に送信する第１通信手段と、として機能させ、且つ前記本体装置に搭載された第２のコンピュータを、前記第１カウンタ信号に基づいて、第２カウンタの数値を更新する第２カウント手段と、所定時刻ごとに前記第２カウンタの数値を記憶する記憶手段と、今回の所定時刻における前記第２カウンタの数値から、前回の所定時刻に前記記憶手段に記憶された前記第２カウンタの数値を減算することにより、前回の所定時刻から今回の所定時刻までの期間において前記検出信号が出力された回数を演算する演算手段と、として機能させ、前記第１カウント手段は、前記第１通信手段により前記第１カウンタ信号が送信された後も、前記第１カウンタの数値を初期化することなく更新する。
【００１１】
本発明の作用及び他の利得は次に説明する実施するための形態から明らかにされる。
【図面の簡単な説明】
【００１２】
【図１】実施例に係る通信装置システムの構成を示すブロック図である。
【図２】実施例に係る通信装置システムの動作を示すフローチャートである。
【発明を実施するための形態】
【００１３】
以下、本発明の通信装置システム、カウント方法及びコンピュータプログラムに係る実施形態について説明する。
【００１４】
（通信装置システムの実施形態）
実施形態に係る通信システムは、無線通信により相互に通信可能なセンサ装置及び本体装置を備えて構成されている。
【００１５】
センサ装置は、対象物の状態変化を検出して検出信号を出力するセンサ手段と、該検出信号に基づいて、第１カウンタの数値を更新する第１カウント手段と、該第１カウンタの数値を示す第１カウンタ信号を、本体装置に送信する第１通信手段と、を備えて構成されている。
【００１６】
センサ手段には、例えば焦電センサ等の公知の各種センサを適用可能である。センサ手段に焦電センサが適用された場合、該センサ手段は温度変化を、「対象物の状態変化」として検出し、検出信号を出力する。
【００１７】
例えばメモリ、プロセッサ等を備えてなる第１カウント手段は、検出信号に基づいて第１カウンタの数値を更新する。第１カウント手段は、原則的には、検出信号が出力される度に、第１カウンタの数値を更新する（例えば、“１”増加する）。
【００１８】
ここで特に、第１カウント手段は、第１通信手段により第１カウンタ信号が送信された後も、第１カウンタの数値を初期化することなく（即ち、第１カウンタの数値を所謂ゼロクリアすることなく）更新する。つまり、第１カウンタの数値は、センサ装置の設置時以降の累積値である。尚、本実施形態に係る第１カウンタは、例えば“０”から“６５５３６”までの値を有し、“６５５３６”の次の数値が“０”となるように構成されている。
【００１９】
第１通信手段は、センサ手段から検出信号が出力された際、並びに、本体装置及びセンサ装置間における通信が確立された際に、第１カウンタ信号を本体装置に送信する。尚、「センサ手段から検出信号が出力された際」は、典型的には、「検出信号が出力され、該出力された検出信号に基づいて第１カウンタの数値が更新された後」である。
【００２０】
本体装置は、第１カウンタ信号に基づいて、第２カウンタの数値を更新する第２カウント手段と、所定時刻ごとに第２カウンタの数値を記憶する記憶手段と、今回の所定時刻における第２カウンタの数値から、前回の所定時刻に記憶手段に記憶された第２カウンタの数値を減算することにより、前回の所定時刻から今回の所定時刻までの期間において検出信号が出力された回数を演算する演算手段と、上記所定時刻ごとに、該演算された回数を示す信号を、当該通信装置システムとは異なる通信端末へ送信する第２通信手段と、を備えて構成されている。
【００２１】
例えばメモリ、プロセッサ等を備えてなる第２カウント手段は、第１カウンタ信号に基づいて（例えば、受信された第１カウンタ信号により示される数値と、第２カウンタの数値とが同じになるように）、第２カウンタの数値を更新する。第２カウント手段は、第１カウンタ信号が受信される度に、第２カウンタの数値を更新する。
【００２２】
例えば不揮発性メモリ等である記憶手段は、所定時刻ごとに第２カウンタの数値を記憶する。ここで「所定時刻」は、典型的には、当該通信装置システムのユーザにより設定されるが、例えば固定値として設定されていてもよい。また、「所定時刻」は、一つに限らず、例えば“９：００”及び“１２：００”等、複数であってよい。
【００２３】
例えばメモリ、プロセッサ等を備えてなる演算手段は、所定時刻になった際に、現在の第２カウンタの数値から、前回の所定時刻に記憶手段に記憶された第２カウンタの数値を減算する。
【００２４】
本願発明者の研究によれば、以下の事項が判明している。即ち、本体装置に何らかの不具合が生じ、センサ装置から出力された第１カウンタ信号を正しく受信できない状況となった場合、その後本体装置の不具合が解消されたとしても、センサ装置において検出信号が出力された回数（即ち、対象者の状態変化が検出された回数）が正しく演算されない可能性がある。
【００２５】
しかるに本実施形態に係る通信装置システムでは、上述の如く、第１カウンタの数値は、第１通信手段により第１カウンタ信号が送信された後も、初期化することなく更新される。このため、本体装置がｎ回目（“ｎ”は自然数）の第１カウンタ信号を受信できない場合であっても、（ｎ＋１）回目の第１カウンタ信号を受信できさえすれば、本体装置は、前回（即ち、ｎ回目の第１カウンタ信号の送信前に）記憶手段に第２カウンタの数値が記憶されてから、（ｎ＋１）回目の第１カウンタ信号が受信されるまでの間における、検出信号が出力された回数を正しく演算することができる。
【００２６】
従って、本実施形態に係る通信装置システムによれば、本体装置に不具合が生じた場合であっても、該本体装置に生じた不具合が解消された後に、センサ装置において対象物の状態変化が検出された回数を正確に通知することができる。
【００２７】
実施形態に係るセンサ装置は、該センサ装置に電力を供給するバッテリを有していてよい。このように構成すれば、停電が発生した場合であっても、対象物の状態変化を検出することができ、実用上非常に有利である。
【００２８】
（カウント方法の実施形態）
実施形態に係るカウント方法は、無線通信により相互に通信可能なセンサ装置及び本体装置を備える通信装置システムにおいて、対象物の状態変化の検出回数をカウントするカウント方法である。
【００２９】
該カウント方法は、センサ装置が、対象物の状態変化を検出して検出信号を出力する検出信号出力工程と、センサ装置が、検出信号に基づいて、第１カウンタの数値を更新する第１カウント工程と、センサ装置が、第１カウンタの数値を示す第１カウンタ信号を、本体装置に送信する第１通信工程と、本体装置が、第１カウンタ信号に基づいて、第２カウンタの数値を更新する第２カウント工程と、本体装置が、所定時刻ごとに第２カウンタの数値を記憶する記憶工程と、本体装置が、今回の所定時刻における第２カウンタの数値から、前回の所定時刻に記憶された第２カウンタの数値を減算することにより、前回の所定時刻から今回の所定時刻までの期間において検出信号が出力された回数を演算する演算工程と、を備える。
【００３０】
本実施形態では特に、第１カウント工程において、センサ装置は、第１通信工程により第１カウンタ信号が送信された後も、第１カウンタの数値を初期化することなく更新する。
【００３１】
本実施形態に係るカウント方法によれば、上述した実施形態に係る通信装置システムと同様に、本体装置に不具合が生じた場合であっても、該本体装置に生じた不具合が解消された後に、センサ装置において対象物の状態変化が検出された回数を正確に通知することができる。
【００３２】
（コンピュータプログラムの実施形態）
実施形態に係るコンピュータプログラムは、無線通信により相互に通信可能なセンサ装置及び本体装置を備える通信装置システムにおいて、センサ装置に搭載された第１のコンピュータを、対象物の状態変化を検出して検出信号を出力するセンサ手段と、検出信号に基づいて、第１カウンタの数値を更新する第１カウント手段と、第１カウンタの数値を示す第１カウンタ信号を、本体装置に送信する第１通信手段と、として機能させ、且つ、本体装置に搭載された第２のコンピュータを、第１カウンタ信号に基づいて、第２カウンタの数値を更新する第２カウント手段と、所定時刻ごとに第２カウンタの数値を記憶する記憶手段と、今回の所定時刻における第２カウンタの数値から、前回の所定時刻に記憶手段に記憶された第２カウンタの数値を減算することにより、前回の所定時刻から今回の所定時刻までの期間において検出信号が出力された回数を演算する演算手段と、として機能させる。
【００３３】
本実施形態では特に、第１カウント手段は、第１通信手段により第１カウンタ信号が送信された後も、第１カウンタの数値を初期化することなく更新するように構成される。
【００３４】
本発明のコンピュータプログラムによれば、当該コンピュータプログラムを格納するＲＡＭ（Ｒａｎｄｏｍ  Ａｃｃｅｓｓ  Ｍｅｍｏｒｙ）、ＣＤ−ＲＯＭ（Ｃｏｍｐａｃｔ  Ｄｉｓｃ  Ｒｅａｄ  Ｏｎｌｙ  Ｍｅｍｏｒｙ）、ＤＶＤ−ＲＯＭ（ＤＶＤ  Ｒｅａｄ  Ｏｎｌｙ  Ｍｅｍｏｒｙ）等の記録媒体から、当該コンピュータプログラムを、センサ装置に搭載された第１のコンピュータ、及び本体装置に搭載された第２のコンピュータ各々に読み込んで実行させれば、或いは、当該コンピュータプログラムを、通信手段を介してダウンロードさせた後に実行させれば、上述した実施形態に係る通信装置システムを比較的容易にして実現できる。これにより、上述した実施形態に係る通信装置システムと同様に、本体装置に不具合が生じた場合であっても、該本体装置に生じた不具合が解消された後に、センサ装置において対象物の状態変化が検出された回数を正確に通知することができる。
【実施例】
【００３５】
本発明の通信装置システムに係る実施例を、図面に基づいて説明する。尚、本実施例では、通信装置システム１が、一人暮らしの高齢者を遠隔から見守るためのシステム（以降、適宜“見守りシステム”と称する）に適用された場合を一例として挙げる。
【００３６】
見守りシステムでは、一般的に、例えばトイレ等、生活をする上で１日に１回は利用する場所に、赤外線を用いたセンサが設置される。そして、該センサにより検出された温度変化の回数等の情報が、センサと対になる親機、及び公衆回線を介して、例えば見守り対象の高齢者と離れて暮らす親族等の通信端末に送信される。従って、該通信端末の所有者は、該通信端末に送信された情報を確認することにより、見守り対象者の無事を確認することができる。
【００３７】
（通信装置システムの構成）
先ず、実施例に係る通信装置システムの構成について、図１を参照して説明する。図１は、実施例に係る通信装置システムの構成を示すブロック図である。
【００３８】
図１において、通信装置システム１は、公衆回線に接続された親機１０と、子機２０とを備えて構成されている。親機１０は、例えば見守り対象者の住居の居間等に設置される。他方、子機２０は、例えば見守り対象者の住居のトイレ等、見守り対象者が１日に少なくとも１回利用すると考えられる場所に設置される。尚、本実施例に係る「親機１０」及び「子機２０」は、夫々、本発明に係る「本体装置」及び「センサ装置」の一例である。
【００３９】
通信装置システム１の具体例としては、無線通信可能なデジタル電話機が挙げられる。この場合、デジタル電話機の子機（実施例に係る“子機２０”に相当）の設置時には、無線接続の登録（所謂ペアリング）が行われる。
【００４０】
親機１０は、例えばＣＰＵ（Ｃｅｎｔｒａｌ  Ｐｒｏｃｅｓｓｉｎｇ  Ｕｎｉｔ）等である主制御部１１と、アンテナＡＮＴに接続され、無線通信を実行可能な無線部１２と、例えばタッチパネル、操作ボタン等である操作部１３と、ＲＡＭ（Ｒａｎｄｏｍ  Ａｃｃｅｓｓ  Ｍｅｍｏｒｙ）１４と、不揮発性メモリ１５と、公衆回線に接続された回線制御部１６と、を備えて構成されている。尚、親機１０には、ＡＣアダプタ（図示せず）を介して電力が供給される。
【００４１】
子機２０は、例えばＣＰＵ等である主制御部２１と、アンテナＡＮＴに接続され、無線通信を実行可能な無線部２２と、例えばタッチパネル、操作ボタン等である操作部２３と、ＲＡＭ２４と、不揮発性メモリ２５と、例えば焦電センサ等の赤外線を用いたセンサ２６と、バッテリ２８の充電状態を検出する充電検出部２７と、を備えて構成されている。
【００４２】
センサ２６は、物体から発せられる赤外線を感知するように構成されている。そして、センサ２６は、温度変化が発生した場合に検出信号を出力するように構成されている。言い換えれば、温度変化が生じなければセンサ２６から検出信号は出力されない。
【００４３】
主制御部２１は、センサ２６から出力された検出信号に基づいて、本発明に係る「第１カウンタ」の一例としての、カウンタ（図示せず）の数値を更新する。主制御部２１は、また、カウンタの数値を示すカウンタ信号を、無線部２２を介して、親機１０へ送信する。
【００４４】
ここで、主制御部２１は、センサ２６から検出信号が出力された際、及び、親機１０と子機２０との間で無線通信が確立された際に、カウンタ信号を親機１０へ送信するように構成されている。尚、本実施例に係る「カウンタ信号」は、本発明に係る「第１カウンタ信号」の一例である。
【００４５】
親機１０の主制御部１１は、無線部１２を介して、カウンタ信号を受信すると、該受信されたカウンタ信号により示される数値を、ＲＡＭ１４に記憶する、或いは、該ＲＡＭ１４に記憶されている数値を、受信されたカウンタ信号に基づいて更新する。尚、本実施例に係る「ＲＡＭ１４」は、本発明に係る「第２カウンタ」の一例である。
【００４６】
主制御部１１は、また、所定時刻ごとに、ＲＡＭ１４に記憶されている数値を、不揮発性メモリ１５に記憶する。ここで「所定時刻」は、例えば、ユーザにより操作部１３を介して設定される。尚、本実施例に係る「操作部１３」は、本発明に係る「設定手段」の一例である。
【００４７】
主制御部１１は、更に、所定時刻になった際に、ＲＡＭ１４に記憶されている数値から、前回所定時刻となった際に不揮発性メモリ１５に記憶された数値を減算する。これにより、前回所定時刻となってから今回所定時刻になるまでの間に、見守り対象者が、子機２０が設置された場所へ立ち入った回数の累計が求められる。
【００４８】
その後、主制御部１１は、上記求められた累計回数を示す情報を、回線制御部１６を介して予め登録された外部通信端末へ、自動的に通知する。上記「所定時刻」は、例えば“９：００”、“１２：００”等、１日に１〜３回程度、累計回数を示す情報が外部通信端末に通知されるように設定されることが望ましい。尚、外部通信端末は、例えば電話機やパーソナルコンピュータ等である。
【００４９】
ユーザは、操作部１３を介して、例えば電話番号、ＦＡＸ番号、メールアドレス等を、通知先として登録可能である。外部通信端末が電話機であって、該電話機に係る情報として電話番号が登録されている場合、親機１０は、例えば合成音により、カウンタ信号に基づいて求められた回数を通知する。また、ユーザが操作部１３を操作することにより、前回の通知内容を確認することができるように、該操作部１３が構成されてもよい。
【００５０】
ところで、子機２０には、通常、ＡＣアダプタ（図示せず）を介して電力が供給される。即ち、子機２０は、通常外部電源により動作する。例えば停電等、外部電源からの電力の供給が止まった場合には、子機２０は、バッテリ２８から供給される電力により動作する。
【００５１】
このため、例えば停電により親機１０が動作していない場合であっても、子機２０のセンサ２６は、温度変化を検出して検出信号を出力し、主制御部２１は、出力された検出信号に基づいてカウンタの数値を更新することができる。
【００５２】
本実施例では特に、主制御部２１により、カウンタ信号が親機１０へ送信された後も、カウンタの数値が初期化されることなく、センサ２６から出力された検出信号に基づいて更新される。
【００５３】
このため、例えば停電により親機１０がカウンタ信号を受信できない場合であっても、その後、親機１０及び子機２０間において無線通信が再び確立された場合に、受信されたカウンタ信号を参照すれば、親機１０が前回（即ち、停電前に）不揮発性メモリ１５にカウンタ信号により示される数値を記憶してから、今回（即ち、停電復旧後に）カウンタ信号を受信するまでに（即ち、停電中に）、見守り対象者が、子機２０が設置された場所へ立ち入った回数の累計を正しく求めることができる。
【００５４】
（通信装置システムの動作）
以上のように構成された通信装置システム１の動作について、図２のフローチャートを参照して説明を加える。
【００５５】
子機２０の主制御部２１は、センサ２６から検出信号が出力された際、カウンタの数値を更新する。主制御部２１は、更に、親機１０及び子機２０間において無線通信可能であることを条件に、カウンタの数値を示すカウンタ信号を、無線部２２を介して親機１０に送信する。
【００５６】
主制御部２１は、例えば停電等により、親機１０及び子機２０間において無線通信ができない場合には、親機１０及び子機２０間において無線通信が確立された際に、カウンタ信号を、無線部２２を介して親機１０に送信する。
【００５７】
他方、親機１０の主制御部１１は、子機２０からのカウンタ信号を受信したか否かを判定する（ステップＳ１０１）。カウンタ信号を受信していないと判定された場合（ステップＳ１０１：Ｎｏ）、主制御部１１は後述するステップＳ１０３の処理を実施する。
【００５８】
カウンタ信号を受信したと判定された場合（ステップＳ１０１：Ｙｅｓ）、主制御部１１は、受信されたカウンタ信号により示される数値を、ＲＡＭ１４に記憶する、或いは、該ＲＡＭ１４に記憶されている数値を、受信されたカウンタ信号に基づいて更新する（ステップＳ１０２）。
【００５９】
次に、主制御部１１は、予め設定された所定時刻であるか否かを判定する（ステップＳ１０３）。所定時刻でないと判定された場合（ステップＳ１０３：Ｎｏ）、主制御部１１は、ステップＳ１０１の処理を実施する。
【００６０】
所定時刻であると判定された場合（ステップＳ１０３：Ｙｅｓ）、主制御部１１は、ＲＡＭ１４に記憶されている数値から、前回所定時刻となった際に不揮発性メモリ１５に記憶された数値を減算する（ステップＳ１０４）。主制御部１１は、該ステップＳ１０４の処理と並行して、又は相前後して、現在ＲＡＭ１４に記憶されている数値を、不揮発性メモリ１５に記憶する（ステップＳ１０５）。
【００６１】
続いて、主制御部１１は、ステップＳ１０４の処理において求められた数値を示す情報を、回線制御部１６を介して、外部通信端末へ通知する。その後、主制御部１１は、ステップＳ１０１の処理を実施する。
【００６２】
本実施例に係る「不揮発性メモリ１５」、「回線制御部１６」、「主制御部２１」、「無線部２２」及び「センサ２６」は、夫々、本発明に係る「記憶手段」、「第２通信手段」、「第１カウント手段」、「第１通信手段」及び「センサ手段」の一例である。本実施例に係る「主制御部１１」は、本発明に係る「第２カウント手段」及び「演算手段」の一例である。
【００６３】
本発明は、上述した実施形態に限られるものではなく、特許請求の範囲及び明細書全体から読み取れる発明の要旨或いは思想に反しない範囲で適宜変更可能であり、そのような変更を伴う通信装置システム、カウント方法及びコンピュータプログラムもまた本発明の技術的範囲に含まれるものである。
【符号の説明】
【００６４】
１…通信装置システム、１０…親機、１１、２１…主制御部、１２、２２…無線部、１３、２３…操作部、１４、２４…ＲＡＭ、１５、２５…不揮発性メモリ、１６…回線制御部、２０…子機、２６…センサ、２７…充電検出部、２８…バッテリ
【図１】
2014155141.tif 000003
【図２】
2014155141.tif 000004